(57)【要約】【課題】実際のマウス操作と同じような操作方法を用い、初心者等、ユーザを選ぶことなく、確実に操作することができる情報処理装置を提供する。【解決手段】情報処理装置１０は、本体装置２０と表示装置３０とで構成されており、この表示装置３０には、タッチセンサ３６が施されている。この情報処理装置１０は、表示画面３２において、ポインタ４６ｃを含み、そのポインタ４６ｃを移動させるための広範囲カーソル４６を備えたものであり、この広範囲カーソル４６は、表示画面３２において、ポインタ４６ｃを移動させるための領域の全域を画定する。タッチセンサ３６により触接の検知が行われた場合には、この検知が行われた位置にポインタ４６ｃ及び広範囲カーソル４６を移動させる。また、この広範囲カーソル４６には、左クリック領域４６ｄと右クリック領域４６ｅとを含んでいる。【選択図】　　図４
2004038503.tif 000002
【特許請求の範囲】
【請求項１】
画像が表示される表示部と、
前記表示部に、当該表示部内の位置を指定するための指定点を示す指定点画像を表示させる表示制御手段と、
前記表示部において、当該表示部における触接の検知を行う触接検知手段と、を備え、
当該触接検知手段による検知の結果に応じて情報処理が行われ得る情報処理装置であって、
前記表示部において、前記指定点を含み、当該指定点を移動させるための移動領域を備え、
前記表示制御手段により、前記表示部において、前記移動領域の全域が画定される移動領域画像が表示され、かつ、
前記触接検知手段により触接の検知が行われた場合には、当該検知の結果に応じて前記指定点の移動が行われるとともに、当該指定点の移動に連動して前記移動領域の移動が行われ、かつ、
前記表示制御手段により、前記指定点及び前記移動領域の移動に連動して、前記指定点画像及び前記移動領域画像が移動してくるように前記指定点画像及び前記移動領域画像が表示されることを特徴とする情報処理装置。
【請求項２】
前記表示制御手段は、前記移動領域画像を、半径５ｍｍの円を含み、かつ、半径３０ｍｍの円を含まないような大きさで表示されることを特徴とする請求項１記載の情報処理装置。
【請求項３】
前記移動領域は、左クリック領域及び右クリック領域を含んでいるものであり、
前記表示制御手段は、前記表示部において、前記左クリック領域の全域を画定する左クリック領域画像と、右クリック領域の全域を画定する右クリック領域画像を表示させるものであることを特徴とする請求項１又は２記載の情報処理装置。
【請求項４】
前記左クリック領域及び前記右クリック領域の一は、前記指定点を含むものであり、
前記左クリック領域及び前記右クリック領域の他は、前記左クリック領域及び前記右クリック領域の一の外周に接し、かつ、前記指定点を含まないものであることを特徴とする請求項３記載の情報処理装置。
【請求項５】
前記移動領域は、円形状であり、かつ、前記左クリック領域と前記右クリック領域とから構成されたものであり、
前記左クリック領域若しくは前記右クリック領域は、前記移動領域よりも小さい円形状であり、前記移動領域の中心と同じ位置に中心を備えたものであることを特徴とする請求項３又は４記載の情報処理装置。
【請求項６】
前記左クリック領域は、前記表示部において、前記指定点を含む垂線より左側に位置するものであり、
前記右クリック領域は、前記表示部において、前記指定点を含む垂線より右側に位置するものであることを特徴とする請求項３記載の情報処理装置。
【請求項７】
請求項６記載の情報処理装置において、
前記左クリック領域及び前記右クリック領域は、前記移動領域を前記垂線で二分するように位置するものであり、かつ、
前記情報処理装置は、前記移動領域の外周が前記表示部における側縁に接した場合には、前記移動領域を回転させるとともに、前記左クリック領域及び前記右クリック領域を連動して回転させることを特徴とする情報処理装置。
【請求項８】
前記移動領域の外周が、前記表示部における側縁に接し、前記表示部における上下縁に接しない場合には、前記移動領域を９０度回転させるとともに、前記左クリック領域及び前記右クリック領域を連動して９０度回転させることを特徴とする請求項７記載の情報処理装置。
【請求項９】
前記移動領域の外周が、前記表示部における側縁と、前記表示部における上下縁と、に接した場合には、前記移動領域を４５度回転させるとともに、前記左クリック領域及び前記右クリック領域を連動して４５度回転させることを特徴とする請求項７記載の情報処理装置。
【請求項１０】
前記触接検知手段により触接していると検知された点を中心として、前記移動領域を回転させるとともに、前記左クリック領域及び前記右クリック領域を回転させることを特徴とする請求項８又は９記載の情報処理装置。
【請求項１１】
請求項１又は２記載の情報処理装置は、左クリック領域及び右クリック領域を備え、
前記移動領域は、前記表示部において、左クリック領域及び右クリック領域の一を含み、かつ、前記左クリック領域及び前記右クリック領域の他を含まないものであることを特徴とする情報処理装置。
【請求項１２】
前記左クリック領域又は前記右クリック領域の操作に基づいて、ファイル又はフォルダ等の被指定画像の選択又は移動の少なくともいずれかを行わせるドラッグ操作を実行することを特徴とする請求項３から１１のいずれか記載の情報処理装置。
【請求項１３】
請求項１２記載の情報処理装置において、前記表示制御装置は、前記被指定画像が指定された後に、当該被指定画像を前記ドラッグ操作が実行されている場合には、前記被指定画像を、前記被指定画像が指定される前とは異なる色で表示させるものであることを特徴とする情報処理装置。
【請求項１４】
前記移動領域の設定を行うための移動領域設定手段と、
当該移動領域設定手段により行われた前記移動領域の設定に基づいて移動領域を変化させる移動領域変更手段と、を備えたことを特徴とする請求項１から１３のいずれか記載の情報処理装置。
【請求項１５】
前記左クリック領域及び／又は前記右クリック領域の設定を行うためのクリック領域設定手段と、
当該クリック領域設定手段により行われた前記左クリック領域及び／又は前記右クリック領域の設定に基づいて、左クリック領域及び／又は右クリック領域を変化させるクリック領域変更手段と、を備えたことを特徴とする請求項１から１４のいずれか記載の情報処理装置。
【請求項１６】
マウス、若しくは、キーボードを含む入力手段と、
前記指定点を移動させるための設定を行う入力設定手段と、
当該入力設定手段による指定点を移動させるための設定に基づいて、前記触接検知手段により指定点を移動させることと、前記入力手段により指定点を移動させることと、を切り替える入力切替手段と、を備えたことを特徴とする請求項１から１５のいずれか記載の情報処理装置。
【請求項１７】
画像が表示される表示部を備えた情報処理装置に対して、
当該表示部に、所望の画像を指定するための指定点を示す指定点画像の表示を行わしめるステップと、
前記表示部において、当該表示部における触接の検知を行わしめるステップと、
当該ステップによる検知の結果に応じて情報処理が行わしめ得るステップと、を実行させるためのプログラムを記録したコンピュータ読み取り可能な記録媒体であって、
前記情報処理装置に対して、
前記表示部において、前記指定点を含み、当該指定点を移動させるための移動領域の決定を行わしめるステップと、
前記表示部において、移動領域の全域が画定される移動領域画像を表示せしめ、かつ、前記触接検知手段により触接の検知が行われた場合には、当該検知が行われた触接位置に前記指定点画像及び前記移動領域画像を表示せしめるステップと、
当該移動領域画像の表示位置に連動して前記指定点及び前記移動領域を移動せしめるステップと、を実行させるためのプログラムを記録したコンピュータ読み取り可能な記録媒体。
【発明の詳細な説明】
【０００１】
【発明の属する技術分野】
本発明は、主として幼稚園児等の若年齢者、高年齢者、身体障害者、病院患者等の情報処理装置の使用に関して比較的初心者が使用するための情報処理装置及びコンピュータ読み取り可能な記録媒体に関するものである。
【０００２】
【従来の技術】
一般に、情報処理装置は、演算装置、記憶装置、マウス等の入力装置、表示装置等の出力装置から構成されており、各種データの演算、記憶を行うものである。近年の著しいＩＴ（Ｉｎｆｏｒｍａｔｉｏｎ　Ｔｅｃｈｎｏｌｏｇｙ）化に伴い、情報処理装置を使用するユーザが飛躍的に増大しており、社会には欠かすことのできないものとされている。
【０００３】
このような著しいＩＴ化には、情報処理装置にインストールされているＯＳ（Ｏｐｅｒａｔｉｎｇ　Ｓｙｓｔｅｍ）ソフトの存在なくしては語ることができない。このようなＯＳソフトには、ＧＵＩ（Ｇｒａｐｈｉｃａｌ　Ｕｓｅｒ　Ｉｎｔｅｒｆａｃｅ）が用いられており、操作しやすいようにウィンドウやアイコンなどを使い、コンピュータをわかりやすく使用できるようになっている。つまり、ユーザがデスクトップのアイコンをマウスでクリックするだけで、簡単にファイルの操作やアプリケーションソフトの起動などを実行できるようになっており、誰にでも容易に使用することのできる情報処理装置を実現しているのである。
【０００４】
しかし、初めて情報処理装置を使用するような初心者には、マウス、キーボード等の入力装置を取り扱うことは容易なことではない。更には、上述した初心者だけでなく、若年齢者、高年齢者、身障者、病院患者等にとってはマウス、キーボードを操作することが容易ではない人も多くいるのが現状である。
【０００５】
そこで、特開２０００−９９２６９号公報では、タッチパネルを用い、そのタッチパネルに触接した位置、タイミングで操作の識別を行う情報処理装置が提供されており、簡便である。
【０００６】
【発明が解決しようとする課題】
しかしながら、このような情報処理装置であっても、容易に操作することができず、更には、誤操作を行うこともある。特に、上述した如く、若年齢者、高年齢者、身障者、病院患者等にとってはマウス、キーボードを操作することが容易ではない。
【０００７】
これには、様々な原因が考えられる。
【０００８】
まず、このようなカーソル等には、他の画像と干渉しないようなサイズに設定されており、人間の指と比較すると、極めて小さいサイズとなっていることが挙げられる。これにより、通常の操作を行う場合であってもカーソル等を移動させることは容易でなく、細かい操作を要する場合には、困難な作業を強いられてしまい、チャタリングを起こす可能性も生じ、操作者の意図と異なり、誤操作を行うこととなるのである。
【０００９】
次いで、カーソル等を移動させるための移動領域が視覚的に明確でないことが挙げられる。カーソル等は、単にフォルダ、ウィンドウを指定するためのポインタを示すものであり、このポインタを移動させるための移動領域を示すものではない。勘のいい操作者は、このカーソル等が指し示すポインタから移動領域を目測し、移動領域であるか否かを判断することとなるが、その他の者は、移動領域であるか否かの目測を誤り得、操作したつもりが操作されていない、更には、操作しないつもりが操作されているケースもある。これにより、操作者の意図と異なり、誤操作を行うこととなるのである。
【００１０】
更には、今日の技術革新により、デスクトップに表示される画像の解像度が日進月歩増大しているため、カーソル等を操作することを、より一層、容易でないものとしているのも上述した一因となっていることは事実である。また、情報処理装置の小型化を妨げる一因ともなっている。
【００１１】
そこで、特開平７−７２９７６号公報では、画面縁端に設けられた画像を操作することにより、カーソル移動、右ボタン、左ボタン、クリック、ダブルクリック等を判断する情報処理装置が提供されている。
【００１２】
また、情報処理装置には、パーソナルコンピュータ等非携帯型の情報処理装置の他にも、ノート型パーソナルコンピュータ、ＰＤＡ（Ｐｅｒｓｏｎａｌ　Ｄｉｇｉｔａｌ　Ａｓｓｉｓｔａｎｔ）、携帯電話等をはじめとする携帯型の情報処理端末も含まれており、ＰＤＡ等には、ペン型のポインティングデバイスを用いて操作することができるようにもなってきている。
【００１３】
しかし、このような情報処理装置においては、上述した如く、単に初心者等が使用することのみが考慮されているため、実際のマウス等のポインティングデバイスとは操作方法の観点において大きく異なる。
【００１４】
つまり、マウス等のポインティングデバイスを用いる場合には、手でマウス等のポインティングデバイスを押さえるとともに、腕を移動させることによってポインタを移動させ、更には、指を動かすことにより、各種操作を実現させる。しかし、初心者等が熟練した場合には、通常の操作者と同じようにマウス等のポインティングデバイスによりポインタ等を操作することが望まれるため、再度、マウス等のポインティングデバイスの操作方法を覚え、慣れる必要があり、煩雑である。
【００１５】
これに加えて、上述した特開平７−７２９７６号公報記載の情報処理装置においては、実際にカーソル等が指し示すポインタ近傍を操作することがないため、初心者等がこの操作に慣れた場合には、この観点においても、再度、操作方法を覚え、慣れる必要があり、煩雑である。
【００１６】
本発明は、上述した如き課題に鑑みてなされたものであり、実際のマウス操作と同じような操作方法を用い、初心者等、ユーザを選ぶことなく、確実に操作することができる情報処理装置を提供することを目的とする。
【００１７】
【課題を解決するための手段】
以上のような目的を達成するために、本発明の情報処理装置は、前記表示部において、前記指定点を含み、当該指定点を移動させるための移動領域を備え、前記表示制御手段により、前記表示部において、前記移動領域の全域が画定される移動領域画像が表示され、かつ、前記触接検知手段により触接の検知が行われた場合には、当該検知の結果に応じて前記指定点の移動が行われるとともに、当該指定点の移動に連動して前記移動領域の移動が行われ、かつ、前記表示制御手段により、前記指定点及び前記移動領域の移動に連動して、前記指定点画像及び前記移動領域画像が移動してくるように前記指定点画像及び前記移動領域画像が表示されることを特徴とする。
【００１８】
より具体的には、本発明は、以下のようなものを提供する。
【００１９】
（１）　画像が表示される表示部と、前記表示部に、当該表示部内の位置を指定するための指定点を示す指定点画像を表示させる表示制御手段と、前記表示部において、当該表示部における触接の検知を行う触接検知手段と、を備え、当該触接検知手段による検知の結果に応じて情報処理が行われ得る情報処理装置であって、前記表示部において、前記指定点を含み、当該指定点を移動させるための移動領域を備え、前記表示制御手段により、前記表示部において、前記移動領域の全域が画定される移動領域画像が表示され、かつ、前記触接検知手段により触接の検知が行われた場合には、当該検知の結果に応じて前記指定点の移動が行われるとともに、当該指定点の移動に連動して前記移動領域の移動が行われ、かつ、前記表示制御手段により、前記指定点及び前記移動領域の移動に連動して、前記指定点画像及び前記移動領域画像が移動してくるように前記指定点画像及び前記移動領域画像が表示されることを特徴とする情報処理装置。
【００２０】
（１）の発明によれば、「前記表示部において、前記指定点を含み、当該指定点を移動させるための移動領域を備え、前記表示制御手段により、前記表示部において、前記移動領域の全域が画定される移動領域画像が表示され、かつ、前記触接検知手段により触接の検知が行われた場合には、当該検知の結果に応じて前記指定点の移動が行われるとともに、当該指定点の移動に連動して前記移動領域の移動が行われ、かつ、前記表示制御手段により、前記指定点及び前記移動領域の移動に連動して、前記指定点画像及び前記移動領域画像が移動してくるように前記指定点画像及び前記移動領域画像が表示される」ので、指定点を示すための指定画像を表示させるだけの従来技術とは異なり、指定点を移動させるための移動領域の全域を移動領域画像として表示することにより、その移動領域の全域が明確になり、視覚的に操作性を向上させ、誤操作をも防止する情報処理装置を提供することができる。
【００２１】
また、指定点と異なる位置に移動領域を備えた情報処理装置とは異なり、マウス、若しくは、キーボード等を含む入力手段を用いた場合とほぼ同じような操作方法であるため、操作者の操作技術が向上した場合であっても、容易に入力手段を用いることができる。特に、初心者、若年齢者、高年齢者、身障者、病院患者等、操作者を選ぶことなく、操作性に優れた情報処理装置を提供することができる。
【００２２】
（２）　前記表示制御手段は、前記移動領域画像を、半径５ｍｍの円を含み、かつ、半径３０ｍｍの円を含まないような大きさで表示されることを特徴とする（１）記載の情報処理装置。
【００２３】
（２）の発明によれば、「前記表示制御手段は、前記移動領域画像を、半径５ｍｍの円を含み、かつ、半径３０ｍｍの円を含まないような大きさで表示される」ので、操作者の指よりも面積の狭い従来のカーソルよりも大きな移動領域を備えることとなり、移動領域に対して操作者の指であっても充分触接することができる面積があるため、初心者、若年齢者、高年齢者、身障者、病院患者等にとっては操作が容易ではないマウス、キーボード等の入力装置を用いることなく、更には、ペン型のポインティングデバイスを用いることなく、操作者の指自体で操作可能となり、更には、誤操作防止にもなる。これにより、初心者、若年齢者、高年齢者、身障者、病院患者等、操作者を選ぶことなく、操作性に優れた情報処理装置を提供することができる。また、「半径５ｍｍの円を含み、かつ、半径３０ｍｍの円を含まないような大きさ」で移動領域画像を表示させることが好ましく、「半径５ｍｍの円を含み、かつ、半径２５ｍｍの円を含まないような大きさ」が最適である。
【００２４】
本発明は、ＰＤＡ（Ｐｅｒｓｏｎａｌ　Ｄｉｇｉｔａｌ　Ａｓｓｉｓｔａｎｔ）、携帯電話、ノート型コンピュータ等、様々な情報処理装置に用いることができるが、デスクトップパソコン等に接続される大型の表示装置に対して用いることがより一層適している。
【００２５】
また、このような情報処理装置を提供するほかにも、同じように、プログラム又はコンピュータ読み取り可能な記憶媒体としても提供することができる。
【００２６】
（３）　前記移動領域は、左クリック領域及び右クリック領域を含んでいるものであり、前記表示制御手段は、前記表示部において、前記左クリック領域の全域を画定する左クリック領域画像と、右クリック領域の全域を画定する右クリック領域画像を表示させるものであることを特徴とする（１）又は（２）記載の情報処理装置。
【００２７】
（３）の発明によれば、「前記移動領域は、左クリック領域及び右クリック領域を含んでいるものであり、前記表示制御手段は、前記表示部において、前記左クリック領域の全域を画定する左クリック領域画像と、右クリック領域の全域を画定する右クリック領域画像を表示させるものである」ので、指示点を移動させるだけでなく、マウスの右左ボタンを操作するような操作性が再現できる。このため、初心者、若年齢者、高年齢者、身障者、病院患者等がこの操作に慣れた場合には、実際のマウス等を用いることに抵抗なく操作することができ得る情報処理装置を提供することができる。
【００２８】
また、このような情報処理装置を提供するほかにも、同じように、プログラム又はコンピュータ読み取り可能な記憶媒体としても提供することができる。
【００２９】
（４）　前記左クリック領域及び前記右クリック領域の一は、前記指定点を含むものであり、前記左クリック領域及び前記右クリック領域の他は、前記左クリック領域及び前記右クリック領域の一の外周に接し、かつ、前記指定点を含まないものであることを特徴とする（３）記載の情報処理装置。
【００３０】
（４）の発明によれば、「前記左クリック領域及び前記右クリック領域の一は、前記指定点を含むものであり、前記左クリック領域及び前記右クリック領域の他は、前記左クリック領域及び前記右クリック領域の一の外周に接し、かつ、前記指定点を含まないものである」ので、表示部のどの位置に指定点を移動させた場合であっても、必ず左クリック領域及び右クリック領域を操作することが可能である。
【００３１】
例えば、表示部の角部に指定点を移動させた場合には、指定点を中心として、その移動領域の４分の３の角度は表示されないこととなるが、残りの４分の１の角度は必ず表示させることとなり、その範囲には、少なくとも左クリック領域の一部、及び、右クリック領域の一部が表示されることとなる。これにより、どの位置に指定点を移動させても両クリック領域は必ず表示されることとなる。
【００３２】
また、このような情報処理装置を提供するほかにも、同じように、プログラム又はコンピュータ読み取り可能な記憶媒体としても提供することができる。
【００３３】
（５）　前記移動領域は、円形状であり、かつ、前記左クリック領域と前記右クリック領域とから構成されたものであり、前記左クリック領域若しくは前記右クリック領域は、前記移動領域よりも小さい円形状であり、前記移動領域の中心と同じ位置に中心を備えたものであることを特徴とする（３）又は（４）記載の情報処理装置。
【００３４】
（５）の発明によれば、「前記移動領域は、円形状であり、かつ、前記左クリック領域と前記右クリック領域とから構成されたものであり、前記左クリック領域若しくは前記右クリック領域は、前記移動領域よりも小さい円形状であり、前記移動領域の中心と同じ位置に中心を備えたものである」ので、指定点が縁端近傍に位置した場合でも、略同じ面積で表示されることとなるため、指定点がどの位置に移動しても操作機能を低下させることなく、操作性に優れた情報提供装置を提供することができる。
【００３５】
また、このような情報処理装置を提供するほかにも、同じように、プログラム又はコンピュータ読み取り可能な記憶媒体としても提供することができる。
【００３６】
（６）　前記左クリック領域は、前記表示部において、前記指定点を含む垂線より左側に位置するものであり、前記右クリック領域は、前記表示部において、前記指定点を含む垂線より右側に位置するものであることを特徴とする（３）記載の情報処理装置。
【００３７】
（６）の発明によれば、「前記左クリック領域は、前記表示部において、前記指定点を含む垂線より左側に位置するものであり、前記右クリック領域は、前記表示部において、前記指定点を含む垂線より右側に位置するものである」ので、実際のマウス操作と同じように操作することができるため、マウスの右左ボタンを操作するような操作性が再現できる。このため、初心者、若年齢者、高年齢者、身障者、病院患者等がこの操作に慣れた場合には、実際のマウス等を用いることに抵抗なく操作することができ得る情報処理装置を提供することができる。
【００３８】
また、このような情報処理装置を提供するほかにも、同じように、プログラム又はコンピュータ読み取り可能な記憶媒体としても提供することができる。
【００３９】
（７）　（６）記載の情報処理装置において、前記左クリック領域及び前記右クリック領域は、前記移動領域を前記垂線で二分するように位置するものであり、かつ、前記情報処理装置は、前記移動領域の外周が前記表示部における側縁に接した場合には、前記移動領域を回転させるとともに、前記左クリック領域及び前記右クリック領域を連動して回転させることを特徴とする情報処理装置。
【００４０】
（７）の発明によれば、「前記左クリック領域及び前記右クリック領域は、前記移動領域を前記垂線で二分するように位置するものであり、かつ、前記情報処理装置は、前記移動領域の外周が前記表示部における側縁に接した場合には、前記移動領域を回転させるとともに、前記左クリック領域及び前記右クリック領域を連動して回転させる」ので、指定点を表示部の側縁部に位置させた場合であっても、左右方向に左右クリック領域が表示されない状態を防止することができる。これにより、指定点がどの位置にあっても左右クリックの操作を実行することができるため、操作機能を低下させることなく、操作性に優れた情報提供装置を提供することができる。
【００４１】
また、このような情報処理装置を提供するほかにも、同じように、プログラム又はコンピュータ読み取り可能な記憶媒体としても提供することができる。
【００４２】
（８）　前記移動領域の外周が、前記表示部における側縁に接し、前記表示部における上下縁に接しない場合には、前記移動領域を９０度回転させるとともに、前記左クリック領域及び前記右クリック領域を連動して９０度回転させることを特徴とする（７）記載の情報処理装置。
【００４３】
（８）の発明によれば、「前記移動領域の外周が、前記表示部における側縁に接し、前記表示部における上下縁に接しない場合には、前記移動領域を９０度回転させるとともに、前記左クリック領域及び前記右クリック領域を連動して９０度回転させる」ので、指定点を表示部の側縁部に位置させた場合であっても、左右方向に右クリック領域または左クリック領域が表示されずクリックできない状態を防止することができる。これにより、指定点がどの位置にあっても右クリックまたは左クリックの操作を実行することができるため、操作機能を低下させることなく、操作性に優れた情報処理装置を提供することができる。
【００４４】
また、このような情報処理装置を提供するほかにも、同じように、プログラム又はコンピュータ読み取り可能な記憶媒体としても提供することができる。
【００４５】
（９）　前記移動領域の外周が、前記表示部における側縁と、前記表示部における上下縁と、に接した場合には、前記移動領域を４５度回転させるとともに、前記左クリック領域及び前記右クリック領域を連動して４５度回転させることを特徴とする（７）記載の情報処理装置。
【００４６】
（９）の発明によれば、「前記移動領域の外周が、前記表示部における側縁と、前記表示部における上下縁と、に接した場合には、前記移動領域を４５度回転させるとともに、前記左クリック領域及び前記右クリック領域を連動して４５度回転させる」ので、指定点を表示部の側縁近傍に位置させ、更には、指定点を表示部の上下方向縁端近傍に移動させた場合であっても、４５度回転させることにより、左右クリック領域が表示されない状態を防止することができる。これにより、指定点がどの位置にあっても左右クリックの操作を実行することができるため、操作機能を低下させることなく、操作性に優れた情報提供装置を提供することができる。
【００４７】
また、このような情報処理装置を提供するほかにも、同じように、プログラム又はコンピュータ読み取り可能な記憶媒体としても提供することができる。
【００４８】
（１０）　前記触接検知手段により触接していると検知された点を中心として、前記移動領域を回転させるとともに、前記左クリック領域及び前記右クリック領域を回転させることを特徴とする（８）又は（９）記載の情報処理装置。
【００４９】
（１０）の発明によれば、「前記触接検知手段により触接していると検知された点を中心として、前記移動領域を回転させるとともに、前記左クリック領域及び前記右クリック領域を回転させる」ので、操作者が触接している操作点を変化させることがないため、スムーズに操作することができるだけでなく、誤操作を防止することができる。
【００５０】
また、このような情報処理装置を提供するほかにも、同じように、プログラム又はコンピュータ読み取り可能な記憶媒体としても提供することができる。
【００５１】
（１１）　（１）又は（２）記載の情報処理装置は、左クリック領域及び右クリック領域を備え、前記移動領域は、前記表示部において、左クリック領域及び右クリック領域の一を含み、かつ、前記左クリック領域及び前記右クリック領域の他を含まないものであることを特徴とする情報処理装置。
【００５２】
（１１）の発明によれば、「左クリック領域及び右クリック領域を備え、前記移動領域は、前記表示部において、左クリック領域及び右クリック領域の一を含み、かつ、前記左クリック領域及び前記右クリック領域の他を含まない」ので、指示点を移動させるだけでなく、マウスの右左ボタンのいずれかを操作するような操作性が再現できる。このため、初心者、若年齢者、高年齢者、身障者、病院患者等がこの操作に慣れた場合には、実際のマウス等を用いることに抵抗なく操作することができ得る情報処理装置を提供することができる。
【００５３】
また、最低限左クリック領域及び右クリック領域の一を容易に操作することができ、更には、左クリック領域及び右クリック領域の他を別に備えたため、移動領域を小型化でき、小さい画面であっても容易に操作することができる。
【００５４】
本発明は、上述した如く、ＰＤＡ、携帯電話、ノート型コンピュータ等、様々な情報処理装置に用いることができ、デスクトップパソコン等に接続される大型の表示装置に対して用いることが好ましいが、ＰＤＡ、携帯電話等画面が小さい装置に用いる際には、検知エリアを広く設ける必要が無いため、（１１）に記載した発明が最適である。
【００５５】
また、このような情報処理装置を提供するほかにも、同じように、プログラム又はコンピュータ読み取り可能な記憶媒体としても提供することができる。
【００５６】
（１２）　前記左クリック領域又は前記右クリック領域の操作に基づいて、ファイル又はフォルダ等の被指定画像の選択又は移動の少なくともいずれかを行わせるドラッグ操作を実行することを特徴とする（３）から（１１）のいずれか記載の情報処理装置。
【００５７】
（１２）の発明によれば、「前記左クリック領域又は前記右クリック領域の操作に基づいて、ファイル又はフォルダ等の被指定画像の選択又は移動の少なくともいずれかを行わせるドラッグ操作を実行する」ので、左右のクリック、ダブルクリックの他にも、各種の操作が可能となり、簡便である。
【００５８】
（１３）　（１２）記載の情報処理装置において、前記表示制御装置は、前記被指定画像が指定された後に、当該被指定画像を前記ドラッグ操作が実行されている場合には、前記被指定画像を、前記被指定画像が指定される前とは異なる色で表示させるものであることを特徴とする情報処理装置。
【００５９】
（１３）の発明によれば、「（１２）記載の情報処理装置において、前記表示制御装置は、前記被指定画像が指定された後に、当該被指定画像を前記ドラッグ操作が実行されている場合には、前記被指定画像を、前記被指定画像が指定される前とは異なる色で表示させるものである」ので、ドラッグ操作を実行したことが明確となり、誤操作を防止することができる。更には、移動領域画像の色を変化させても同様の効果が得られる。
【００６０】
また、このような情報処理装置を提供するほかにも、同じように、プログラム又はコンピュータ読み取り可能な記憶媒体としても提供することができる。
【００６１】
（１４）　前記移動領域の設定を行うための移動領域設定手段と、当該移動領域設定手段により行われた前記移動領域の設定に基づいて移動領域を変化させる移動領域変更手段と、を備えたことを特徴とする（１）から（１３）のいずれか記載の情報処理装置。
【００６２】
（１４）の発明によれば、「前記移動領域の設定を行うための移動領域設定手段と、当該移動領域設定手段により行われた前記移動領域の設定に基づいて移動領域を変化させる移動領域変更手段と、を備えた」ので、操作者に適した設定を行うことができるため、より一層、操作性を向上させ、誤操作を防止することができる。更には、操作者に適した最小面積を設定することにより、移動領域画像を最小限に表示させることができる。
【００６３】
また、このような情報処理装置を提供するほかにも、同じように、プログラム又はコンピュータ読み取り可能な記憶媒体としても提供することができる。
【００６４】
（１５）　前記左クリック領域及び／又は前記右クリック領域の設定を行うためのクリック領域設定手段と、当該クリック領域設定手段により行われた前記左クリック領域及び／又は前記右クリック領域の設定に基づいて、左クリック領域及び／又は右クリック領域を変化させるクリック領域変更手段と、を備えたことを特徴とする（１）から（１４）のいずれか記載の情報処理装置。
【００６５】
（１５）の発明によれば、「前記左クリック領域及び／又は前記右クリック領域の設定を行うためのクリック領域設定手段と、当該クリック領域設定手段により行われた前記左クリック領域及び／又は前記右クリック領域の設定に基づいて、左クリック領域及び／又は右クリック領域を変化させるクリック領域変更手段と、を備えた」ので、操作者に適した設定を行うことができるため、より一層、操作性を向上させ、誤操作を防止することができる。更には、操作者に適した最小面積を設定することにより、移動領域画像を最小限に表示させることができる。
【００６６】
また、このような情報処理装置を提供するほかにも、同じように、プログラム又はコンピュータ読み取り可能な記憶媒体としても提供することができる。
【００６７】
（１６）　マウス、若しくは、キーボードを含む入力手段と、前記指定点を移動させるための設定を行う入力設定手段と、当該入力設定手段による指定点を移動させるための設定に基づいて、前記触接検知手段により指定点を移動させることと、前記入力手段により指定点を移動させることと、を切り替える入力切替手段と、を備えたことを特徴とする（１）から（１５）のいずれか記載の情報処理装置。
【００６８】
（１６）の発明によれば、「マウス、若しくは、キーボードを含む入力手段と、前記指定点を移動させるための設定を行う入力設定手段と、当該入力設定手段による指定点を移動させるための設定に基づいて、前記触接検知手段により指定点を移動させることと、前記入力手段により指定点を移動させることと、を切り替える入力切替手段と、を備えた」ので、使用方法が異なる複数の操作者が同じ情報処理装置を使用する場合であっても、設定の切り替えを行うことにより、操作者に適した情報処理装置を提供することができる。更には、ある操作者が情報処理装置を使用する場合であっても、その情報処理装置で使用するツールが異なる場合には、そのツールに応じて設定の切り替えを行うことができ、操作者に適した情報処理装置を提供することができる。
【００６９】
また、このような情報処理装置を提供するほかにも、同じように、プログラム又はコンピュータ読み取り可能な記憶媒体としても提供することができる。
【００７０】
（１７）　画像が表示される表示部を備えた情報処理装置に対して、当該表示部に、所望の画像を指定するための指定点を示す指定点画像の表示を行わしめるステップと、前記表示部において、当該表示部における触接の検知を行わしめるステップと、当該ステップによる検知の結果に応じて情報処理が行わしめ得るステップと、を実行させるためのプログラムを記録したコンピュータ読み取り可能な記録媒体であって、前記情報処理装置に対して、前記表示部において、前記指定点を含み、当該指定点を移動させるための移動領域の決定を行わしめるステップと、前記表示部において、移動領域の全域が画定される移動領域画像を表示せしめ、かつ、前記触接検知手段により触接の検知が行われた場合には、当該検知が行われた触接位置に前記指定点画像及び前記移動領域画像を表示せしめるステップと、当該移動領域画像の表示位置に連動して前記指定点及び前記移動領域を移動せしめるステップと、を実行させるためのプログラムを記録したコンピュータ読み取り可能な記録媒体。
【００７１】
（１７）の発明によれば、「前記情報処理装置に対して、前記表示部において、前記指定点を含み、当該指定点を移動させるための移動領域の決定を行わしめるステップと、前記表示部において、移動領域の全域が画定される移動領域画像を表示せしめ、かつ、前記触接検知手段により触接の検知が行われた場合には、当該検知が行われた触接位置に前記指定点画像及び前記移動領域画像を表示せしめるステップと、当該移動領域画像の表示位置に連動して前記指定点及び前記移動領域を移動せしめるステップと、を実行させる」ので、指定点を示すための指定画像を表示させるだけの従来技術とは異なり、指定点を移動させるための移動領域の全域を移動領域画像として表示することにより、その移動領域の全域が明確になり、視覚的に操作性を向上させ、誤操作をも防止するプログラムを提供することができる。
【００７２】
また、指定点と異なる位置に移動領域を備えた情報処理装置とは異なり、マウス、若しくは、キーボード等を含む入力手段を用いた場合とほぼ同じような操作方法であるため、操作者の操作技術が向上した場合であっても、容易に入力手段を用いることができる。
【００７３】
【発明の実施の形態】
以下に、本発明の好適な実施形態について図面に基づいて説明する。
【００７４】
［情報処理装置の構成］
情報処理装置１０の概略図を図１に示す。
【００７５】
情報処理装置１０は、後述する主制御回路６０（図２参照）等を含む本体装置２０と、その本体装置２０から各種の信号を送受信する表示装置３０と、から構成されている。
【００７６】
この本体装置２０は、その前面に、各種のドライブにアクセス可能にするためのドライブ装置２２、電源投入時に操作される電源スイッチ２４等、各種の装置が設けられている。また、本体装置２０は、その背面から、表示装置３０と各種の信号を送受信するための接続ケーブル（図示せず）が接続されている。
【００７７】
一方、表示装置３０は、その前面に、画像を表示させるための表示画面３２と、表示装置３０に表示される画像を調節するための調節スイッチ、表示装置３０の表示画面３２に画像を表示させるか否かを操作するための表示スイッチを含むスイッチ群３４が備えられている。また、この表示画面３２には、タッチセンサ３６（図２参照）を有するタッチパネル３５が備えられており、ペン型ポインティングデバイス、操作者の指等が、表示画面３２に触接されたことを検出することとなる。更には、表示装置３０は、その背面に、上述した本体装置２０と各種の信号を送受信するための接続ケーブル（図示せず）が接続されている。
【００７８】
尚、ここでいう表示装置３０は、請求項中に記載された、「表示制御手段」の一部を構成するものに相当するものであり、かつ、ここでいう表示画面３２は、請求項中に記載された、「表示部」の一部を構成するものに相当するものである。また、ここでいうタッチセンサ３６を有するタッチパネル３５は、請求項中に記載された、「触接検知手段」の一部を構成するものに相当するものである。
【００７９】
［情報処理装置の制御部の構成］
本発明の実施形態である情報処理装置１０の制御回路を示すブロック図を図２に示す。尚、図２は、本発明に必要な装置等を示すものであり、スイッチ等の各種の装置は省略する。
【００８０】
主制御回路６０は、予め設定されたプログラムに従って制御動作を行うＣＰＵ６６と、ＲＯＭ、ＲＡＭ、ハードディスクドライブ、そのドライブ等で構成された記憶部６８、画像を表示させるためのビデオＲＡＭ７６（以降ＶＲＡＭと称する）と、更には、タッチセンサ３６との信号の送受信を実行するためのインターフェイス回路７２（以降Ｉ／Ｆ回路と称する）と、ビデオＣＰＵ７４と、を含んでいる。
【００８１】
また、これらの主制御回路６０に備えられたＣＰＵ６６をはじめとする各種の装置は、ＢＵＳに接続されている。ＣＰＵ６６は、ＢＵＳを介して各種の装置に命令を示す信号を供給し、更には、ＣＰＵ６６に供給される信号を、ＢＵＳを介して受け取ることとなる。また、ＣＰＵ６６は、記憶部６８に記録されたプログラムに基づいて情報処理装置１０の制御を実行するものである。
【００８２】
尚、ここでいうＣＰＵ６６は、請求項中に記載された、「表示制御手段」、「触接検知手段」、「移動領域設定手段」、「移動領域変更手段」、「クリック領域設定手段」、「クリック領域変更手段」、「入力手段」、「入力設定手段」、「入力切替手段」の一部を構成するものに相当する。
【００８３】
更にまた、記憶部６８は、ＯＳソフト、アプリケーションソフト等、各種のファイルを記憶するものである。このファイルには、後述する如く、領域データが含まれており、その領域データに応じて広範囲カーソル４６（図３参照）の形状を決定することとなる。
【００８４】
記憶部６８は、ＢＵＳに接続されており、情報処理装置１０の制御全体の流れを制御する制御プログラムを記録する。また、記憶部６８は、制御プログラムを実行するための初期データや、表示装置３０における表示制御をするプログラム、表示装置３０におけるタッチセンサ３６からの信号を受信するプログラム等を記憶する。
【００８５】
また、本実施形態におけるプログラムは、具体的には、下記のようなものを含む。
【００８６】
（Ａ）　「表示部に、所望の画像を指定するための指定点を示す指定点画像の表示を行わしめるステップ」を情報処理装置１０に実行させるプログラム。
【００８７】
（Ｂ）　「表示部において、当該表示部における触接の検知を行わしめるステップ」を情報処理装置１０に実行させるプログラム。
【００８８】
（Ｃ）　「ステップ（Ｂ）による検知の結果に応じて情報処理が行わしめ得るステップ」を情報処理装置１０に実行させるプログラム。
【００８９】
（Ｄ）　「表示部において、前記指定点を含み、当該指定点を移動させるための移動領域の決定を行わしめるステップ」を情報処理装置１０に実行させるプログラム。
【００９０】
（Ｅ）　「表示部において、移動領域の全域が画定される移動領域画像を表示せしめ、かつ、前記触接検知手段により触接の検知が行われた場合には、当該検知が行われた触接位置に前記指定点画像及び前記移動領域画像を表示せしめるステップ」を情報処理装置１０に実行させるプログラム。
【００９１】
（Ｆ）　「当該移動領域画像の表示位置に連動して前記指定点及び前記移動領域を移動せしめるステップ」を情報処理装置１０に実行させるプログラム。
【００９２】
このようなプログラムを実行させることによって、指定点を示すための指定画像を表示させるだけの従来技術とは異なり、指定点を移動させるための移動領域の全域を移動領域画像として表示することにより、その移動領域の全域が明確になり、視覚的に操作性を向上させ、誤操作をも防止するプログラムを提供することができる。
【００９３】
また、指定点と異なる位置に移動領域を備えた情報処理装置とは異なり、マウス、若しくは、キーボード等を含む入力手段を用いた場合とほぼ同じような操作方法であるため、操作者の操作技術が向上した場合であっても、容易に入力手段を用いることができる。
【００９４】
尚、ここでいう記憶部６８は、請求項中に記載された、「表示制御手段」、「触接検知手段」、「移動領域設定手段」、「移動領域変更手段」、「クリック領域設定手段」、「クリック領域変更手段」、「入力手段」、「入力設定手段」、「入力切替手段」の一部を構成するものに相当する。
【００９５】
また、本実施形態でのプログラムは、記憶部６８に予め記録されているものであるが、本発明はこれに限らず、予め記憶部６８に記録されていなくとも、電源投入直後にメモリ等に記録されるものであってもよい。更にまた、プログラムの各々が別々の記憶媒体に記録されていてもよい。
【００９６】
特にプログラムが電源投入直後にメモリ等に記録される場合には、ＯＳソフトとアプリケーションソフトとの間に位置するミドルウェアとして取り扱うことができ、そのプログラムのダウンロードを実行することができ、使用方法が異なる複数の操作者が同じ情報処理装置を使用する場合であっても、設定の切り替えを行うことにより、操作者に適した情報処理装置を提供することができる。更には、ある操作者が情報処理装置を使用する場合であっても、その情報処理装置で使用するツールが異なる場合には、そのツールに応じて設定の切り替えを行うことができ、操作者に適した情報処理装置を提供することができる。
【００９７】
更にまた、記憶部６８は、ＣＰＵ６６が情報処理を実行上で使用するフラグや変数の値をも記憶する。
【００９８】
更にまた、Ｉ／Ｆ回路７２は、ＢＵＳに接続されており、ＣＰＵ６６から供給される有効信号をタッチセンサ３６に供給するとともに、タッチセンサ３６から供給される触接信号を所定の信号に変換し、ＣＰＵ６６に供給することとなる。
【００９９】
更にまた、ビデオ用ＣＰＵ７４は、ＢＵＳに接続されており、ＣＰＵ６６から供給された画像表示命令に基づいて、後述するＶＲＡＭ７６に画像データを記録し、所定のタイミングでその画像データを読み出し、所定の信号に変換し、その信号を表示装置３０における表示画面３２に供給する。これにより、表示装置３０における表示画面３２に画像が表示されるのである。
【０１００】
また、このビデオ用ＣＰＵ７４には、ＶＲＡＭ７６が接続されている。このＶＲＡＭ７４は、ビデオ用ＣＰＵ７４から供給される画像データを順次記録するものであり、所定のタイミングでビデオ用ＣＰＵ７４から読み出される。
【０１０１】
［表示装置の制御部の構成］
表示装置３０においては、表示画面３２、タッチセンサ３６が、上述した主制御回路６０に接続ケーブルを介して接続されている。
【０１０２】
表示画面３２は、ビデオ用ＣＰＵ７４に接続ケーブルを介して接続されており、ビデオ用ＣＰＵ７４から供給された信号に基づいて画像を表示させる。尚、表示される画像の詳細については後述する。
【０１０３】
タッチセンサ３６は、Ｉ／Ｆ回路７２に接続ケーブルを介して接続されており、Ｉ／Ｆ回路７２から供給される有効信号を受け取り、表示画面３２に触接されたことを検出する。また、タッチセンサ３６は、この検出の結果に基づいて、検出位置を示す位置データを含む触接検出信号をＩ／Ｆ回路７２を供給する。尚、検出位置の詳細については後述する。
【０１０４】
［表示画像の説明］
図３は、上述した如く、情報処理装置１０における表示画面３２に表示される画像を示す図である。また、図４及び図５は、その表示画面３２に表示される画像を示す拡大図である。
【０１０５】
図３に示す如く、表示画面３２の左縁端には、複数個のフォルダ４２が表示されている。また、表示画面３２の下縁端には、タスクバー４４が表示されている。更には、表示画面３２の中央には、円形状の広範囲カーソル４６が表示されている。
【０１０６】
この広範囲カーソル４６は、図４に示す如く、縦軸４６ａ及び横軸４６ｂの交差したポインタ４６ｃと、そのポインタ４６ｃを含む右クリック領域４６ｄと、その右クリック領域４６ｄの外周に位置する左クリック領域４６ｅと、から構成されている。また、この左右クリック領域４６ｄ及び４６ｅを含める領域を、ポインタ４６ｃを移動させるための移動領域としている。
【０１０７】
広範囲カーソル４６のポインタ４６ｃは、画面上の位置を示すためのものである。また、右クリック領域４６ｄ及び左クリック領域４６ｅは、それぞれ、マウスの右クリック、左クリックに相当するものであり、操作者がクリック、ドラッグする場合に、操作者がクリック、ドラッグする領域である。
【０１０８】
この右クリック領域４６ｄ及び左クリック領域４６ｅは、図５（Ａ）に示す如く、その各々を、親指と人差し指とで操作することもできれば、図５（Ｂ）に示す如く、人差し指と中指で使用することもできる。更には、図５（Ａ）及び図５（Ｂ）に示す如く、右利きの操作者だけではなく、図５（Ｃ）に示す如く、左利きの操作者によっても設定を変更することなく操作することができる。このように、操作者は、広範囲カーソル４６を用いて情報処理装置１０を操作することとなる。尚、本実施形態においては、指により操作可能な広範囲カーソル４６として記載されているが、本発明はこれに限らず、指以外でも操作可能なものであってもよく、例えば、身障者、病気患者等に含まれる指が自由でない者により、手の甲、肘、鼻等、身体の一部を触接させることにより操作可能なものであってもよい。
【０１０９】
尚、ここでいうポインタ４６ｃは、請求項中に記載された「指定点」に相当するものであり、ポインタ４６ｃの位置を示す縦軸４６ａ及び横軸４６ｂは、請求項中に記載された、「指定点画像」に相当する。また、ここでいう広範囲カーソル４６の左右クリック領域４６ｄ及び４６ｅを合わせた領域は、請求項中に記載された「移動領域」に相当し、その移動領域を画定する最外郭の円形状の画像は、請求項中に記載された「移動領域画像」に相当する。更には、ここでいう左クリック領域４６ｅは、請求項中に記載された「左クリック領域」に相当するものであり、ここでいう右クリック領域４６ｄは、請求項中に記載された「右クリック領域」に相当するものである。
【０１１０】
また、この広範囲カーソル４６は、その左右クリック領域４６ｄ及び４６ｅ、即ち、移動領域を、ポインタ４６ｃを中心として半径１０ｍｍとしており、更には、右クリック領域４６ｄを、ポインタ４６ｃを中心として、半径５ｍｍとしている。
【０１１１】
本実施形態においては、移動領域を、ポインタ４６ｃを中心として半径１０ｍｍの円形状としたが、本発明はこれに限らず、操作者の指がはみ出ない程度の大きさであればよく、例えば、半径５ｍｍより広く、かつ、半径３０ｍｍより狭いものであれば好ましく、半径５ｍｍより広く、かつ、半径２５ｍｍより狭いものであれば最適である。
【０１１２】
このように、「前記表示制御手段は、前記移動領域画像を、半径５ｍｍの円を含み、かつ、半径３０ｍｍの円を含まないような大きさで表示される」ので、操作者の指よりも面積の狭い従来のカーソルよりも大きな移動領域を備えることとなり、移動領域に対して操作者の指であっても充分触接することができる面積があるため、初心者、若年齢者、高年齢者、身障者、病院患者等にとっては操作が容易ではないマウス、キーボード等の入力装置を用いることなく、更には、ペン型のポインティングデバイスを用いることなく、操作者の指自体で操作可能となり、更には、誤操作防止にもなる。これにより、初心者、若年齢者、高年齢者、身障者、病院患者等、操作者を選ぶことなく、操作性に優れた情報処理装置を提供することができる。また、「半径５ｍｍの円を含み、かつ、半径３０ｍｍの円を含まないような大きさ」で移動領域画像を表示させることが好ましく、「半径５ｍｍの円を含み、かつ、半径２５ｍｍの円を含まないような大きさ」が最適である。
【０１１３】
本発明は、ＰＤＡ（Ｐｅｒｓｏｎａｌ　Ｄｉｇｉｔａｌ　Ａｓｓｉｓｔａｎｔ）、携帯電話、ノート型コンピュータ等、様々な情報処理装置に用いることができるが、デスクトップパソコン等に接続される大型の表示装置に対して用いることがより一層適している。
【０１１４】
［タッチセンサ制御］
図６及び図７は、タッチセンサ３６における広範囲カーソル４６を操作する方法を示す説明図である。
【０１１５】
表示画面３２には、図６に示す如く、広範囲カーソル４６が表示されている。この広範囲カーソル４６は、そのポインタ４６ｃが（Ｘ１，Ｙ１）座標に位置付けられている。
【０１１６】
操作者が、左右クリック領域４６ｄ及び４６ｅ、即ち、移動領域に人差し指を触接させた場合には、タッチセンサ３６は、その触接された全ての位置を示す触接信号を、接続ケーブル、Ｉ／Ｆ回路７２、ＢＵＳを介して、ＣＰＵ６６に供給する。そして、ＣＰＵ６６は、その触接信号を受け取り、その触接信号と、触接信号を受け取った時間を示す時間データと、を記憶部６８に記録する。
【０１１７】
ＣＰＵ６６は、受け取った触接データに基づいてポインタ４６ｃの位置を決定する。
【０１１８】
例えば、図６に示す如く、タッチセンサ３６が触接した位置を、（Ｘ１，Ｙ１）座標として検知した場合には、ＣＰＵ６６は、ポインタ４６ｃの位置を（Ｘ１，Ｙ１）として決定する。
【０１１９】
また、ＣＰＵ６６は、記憶部６８に記録された領域データを読み出し、広範囲カーソル４６の画像を生成する。尚、この領域データとは、左右クリック領域４６ｄ及び４６ｅの半径を示すものである。本実施形態においては、円形状の広範囲カーソル４６であったが、本発明はこれに限らず、他の形状でもよく、この場合には、領域データを広範囲カーソルの形状を示すデータを含むものとして記録してもよい。
【０１２０】
このように、ＣＰＵ６６は、広範囲カーソル４６を表示させる位置を決定し、更には、その広範囲カーソル４６の画像を生成することが完了した場合には、その画像データと、表示位置を示すデータと、を含む画像表示命令を、ＢＵＳを介して、ビデオ用ＣＰＵ７４に供給する。
【０１２１】
このビデオ用ＣＰＵ７４は、画像表示命令を受け取り、その画像表示命令に含まれる画像データを、ＶＲＡＭ７６における画像表示位置に相当する位置に、重畳的に記録する。そして、ビデオ用ＣＰＵ７４は、所定のタイミングでＶＲＡＭ７６から画像データを読み出し、接続ケーブルを介して、その画像データを表示装置３０の表示画面３２に供給する。
【０１２２】
更には、操作者の指を移動させ、触接する位置が図６に示す如く、（Ｘ２，Ｙ２）座標に変位した場合には、タッチセンサ３６は、触接位置を検出し、その触接位置、（Ｘ２，Ｙ２）座標を示す触接信号を、上述した如くＣＰＵ６６に供給する。この信号を受け取ったＣＰＵ６６は、上述した如く、その触接信号に基づいて、広範囲カーソル４６の位置を（Ｘ２，Ｙ２）座標を示す位置に変位させるように、表示画面３２に表示させるのである。
【０１２３】
これにより、図６に示す如く、その（Ｘ１，Ｙ１）座標を中心として、広範囲カーソル４６を重畳的に表示させることができ、広範囲カーソル４６の位置を（Ｘ１，Ｙ１）座標に変位させた場合には、（Ｘ１，Ｙ１）座標を中心として広範囲カーソル４６を重畳的に表示させるのである。
【０１２４】
このように、「前記表示部において、前記指定点を含み、当該指定点を移動させるための移動領域を備え、前記表示制御手段により、前記表示部において、前記移動領域の全域が画定される移動領域画像が表示され、かつ、前記触接検知手段により触接の検知が行われた場合には、当該検知の結果に応じて前記指定点の移動が行われるとともに、当該指定点の移動に連動して前記移動領域の移動が行われ、かつ、前記表示制御手段により、前記指定点及び前記移動領域の移動に連動して、前記指定点画像及び前記移動領域画像が移動してくるように前記指定点画像及び前記移動領域画像が表示される」ので、指定点を示すための指定画像を表示させるだけの従来技術とは異なり、指定点を移動させるための移動領域の全域を移動領域画像として表示することにより、その移動領域の全域が明確になり、視覚的に操作性を向上させ、誤操作をも防止する情報処理装置を提供することができる。
【０１２５】
また、指定点と異なる位置に移動領域を備えた情報処理装置とは異なり、マウス、若しくは、キーボード等を含む入力手段を用いた場合とほぼ同じような操作方法であるため、操作者の操作技術が向上した場合であっても、容易に入力手段を用いることができる。
【０１２６】
更には、「前記移動領域は、左クリック領域及び右クリック領域を含んでいるものであり、前記表示制御手段は、前記表示部において、前記左クリック領域の全域を画定する左クリック領域画像と、右クリック領域の全域を画定する右クリック領域画像を表示させるものである」ので、指示点を移動させるだけでなく、マウスの右左ボタンを操作するような操作性が再現できる。このため、初心者、若年齢者、高年齢者、身障者、病院患者等がこの操作に慣れた場合には、実際のマウス等を用いることに抵抗なく操作することができ得る情報処理装置を提供することができる。
【０１２７】
尚、本実施形態においては、左右クリック領域４６ｄ及び４６ｅの半径を固定値としてもよいが、本発明はこれに限らず、その領域データを設定できるようにしてもよい。
【０１２８】
これにより、「前記移動領域の設定を行うための移動領域設定手段と、当該移動領域設定手段により行われた前記移動領域の設定に基づいて移動領域を変化させる移動領域変更手段と、を備えた」ので、操作者に適した設定を行うことができるため、より一層、操作性を向上させ、誤操作を防止することができる。更には、操作者に適した最小面積を設定することにより、移動領域画像を最小限に表示させることができる。
【０１２９】
また、同じように、「前記左クリック領域及び前記右クリック領域の少なくともいずれかの設定を行うためのクリック領域設定手段と、当該クリック領域設定手段により行われた前記左クリック領域及び前記右クリック領域の少なくともいずれかの設定に基づいて、左クリック領域及び右クリック領域の少なくともいずれかを変化させるクリック領域変更手段と、を備えた」ので、操作者に適した設定を行うことができるため、より一層、操作性を向上させ、誤操作を防止することができる。更には、操作者に適した最小面積を設定することにより、移動領域画像を最小限に表示させることができる。
【０１３０】
［クリック制御］
次に、図７を参照して本実施の形態の動作について詳細に説明する。また、図７（Ａ）は、シングルクリックを示すタイミングチャートであり、図７（Ｂ）は、ダブルクリックを示すタイミングチャートであり、図７（Ｃ）は、ドラッグを示すタイミングチャートである。
【０１３１】
第１タッチポイントの検出が時刻Ｔ１とすると、この検出された時刻Ｔ１を基準にして所定の時間（Ｔ１−Ｔ２）内に検出されるタッチ数で各種の操作を決定する。
【０１３２】
例えば、図７（Ａ）に示す如く、時刻Ｔ１から時刻Ｔ２の間に１回のタッチが行われた場合には、シングルクリック、図７（Ｂ）に示す如く、時刻Ｔ１から時刻Ｔ２の間に１回のタッチが行われた場合には、ダブルクリック、として判断される。更には、図７（Ｃ）に示す如く、時刻Ｔ２において、タッチされ続けている場合には、ドラッグとして判別されることとなる。
【０１３３】
また、上述した如く、ドラッグされた場合には、上述した広範囲カーソル４６は、その色が変化するように表示される。例えば、広範囲カーソル４６の領域境界線、縦軸、横軸のみ黒色で表示されていたが、上述した図７（Ｃ）の如く、ドラッグ操作であると判別した場合には、図８に示すごとく、その指定されたフォルダを青色に変化させるように表示させる。そして、操作者により広範囲カーソルを移動させることにより、図９に示す如く、ドラッグ操作が可能となるのである。
【０１３４】
尚、本実施形態では、ドラッグの際には指定されたフォルダ、ファイルのみを変色させるように表示したが、本発明はこれに限らず、指定されたフォルダ、ファイルだけでなく、ドラッグ中は、右クリック領域４６ｄまたは左クリック領域４６ｅの色を変化させる処理を行ってもよい。これにより、使用者は、本発明の広範囲カーソル操作中の状況をリアルタイムに、且つ、視覚的に認識することが可能となる。
【０１３５】
このように、「前記左クリック領域及び右クリック領域の操作に基づいて、ファイル、フォルダ等の被指定画像の選択又は移動の少なくともいずれかを行わせるドラッグ操作を実行する」ので、左右のクリック、ダブルクリックの他にも、各種の操作が可能となり、簡便である。
【０１３６】
更には、「前記表示制御装置は、前記被指定画像が指定された後に、当該被指定画像を前記ドラッグ操作が実行されている場合には、前記被指定画像を、前記被指定画像が指定される前とは異なる色で表示させるものである」ので、ドラッグ操作を実行したことが明確となり、誤操作を防止することができる。更には、移動領域画像の色を変化させても同様の効果が得られる。
【０１３７】
更には、この広範囲カーソル４６は、図１０に示す如く、ポインタ４６ｃを、表示画面３２の角３２ａに移動させた場合にも、広範囲カーソル４６の左右クリック領域４６ｄ及び４６ｅが表示されているため、表示画面全領域において、広範囲カーソル４６を用いることができる。
【０１３８】
このように、「前記左クリック領域及び前記右クリック領域の一は、前記指定点を含むものであり、前記左クリック領域及び前記右クリック領域の他は、前記左クリック領域及び前記右クリック領域の一の外周に接し、かつ、前記指定点を含まないものである」ので、表示部のどの位置に指定点を移動させた場合であっても、必ず左クリック領域及び右クリック領域を操作することが可能である。
【０１３９】
例えば、表示部の角部に指定点を移動させた場合には、指定点を中心として、その移動領域の４分の３の角度は表示されないこととなるが、残りの４分の１の角度は必ず表示させることとなり、その範囲には、少なくとも左クリック領域の一部、及び、右クリック領域の一部が表示されることとなる。これにより、どの位置に指定点を移動させても両クリック領域は必ず表示されることとなる。
【０１４０】
また、「前記移動領域は、円形状であり、かつ、前記左クリック領域と前記右クリック領域とから構成されたものであり、前記左クリック領域若しくは前記右クリック領域は、前記移動領域よりも小さい円形状であり、前記移動領域の中心と同じ位置に中心を備えたものである」ので、指定点が縁端近傍に位置した場合でも、略同じ面積で表示されることとなるため、指定点がどの位置に移動しても操作機能を低下させることなく、操作性に優れた情報提供装置を提供することができる。
【０１４１】
［実施形態２］
また、後述する如き広範囲カーソルであってもよい。
【０１４２】
図１１、図１４、図１５は、上述した如く、情報処理装置１０における表示画面３２に表示される画像を示す図である。また、図１２及び図１３は、その表示画面３２に表示される画像を示す拡大図である。
【０１４３】
図１３に示す如く、表示画面３２の中央には、円形状の広範囲カーソル４７が表示されている。
【０１４４】
この広範囲カーソル４７は、図１２に示す如く、縦軸４７ａ及び横軸４７ｂの交差したポインタ４７ｃと、縦軸４７ａよりも右側に位置する右クリック領域４７ｄと、縦軸４７ａよりも左側に位置する左クリック領域４７ｅと、から構成されている。また、この左右クリック領域４７ｄ及び４７ｅを含める領域を、ポインタ４７ｃを移動させるための移動領域としている。尚、ここでいう縦軸４７ａは、請求項中に記載された「指定点を含む垂線」に相当するものである。
【０１４５】
また、この左右のクリック領域４７ｄ及び４７ｅは、図１３（Ａ）に示す如く、その各々を、親指と人差し指とで操作することもできれば、図１３（Ｂ）に示す如く、人差し指と中指で使用することもできる。もちろん、右利きの操作者だけではなく、左利きの操作者によっても設定を変更することなく操作することができる。
【０１４６】
この広範囲カーソル４７は、上述した広範囲カーソル４６とほぼ同じように動作する。
【０１４７】
このため、ドラッグ装置を行った場合には、上述した広範囲カーソル４７も、図１４に示す如く、指定されたフォルダの色が変化するように表示される。例えば、広範囲カーソル４６の領域境界線、縦軸、横軸のみ黒色で表示されていたが、上述した図７（Ｃ）の如く、ドラッグ操作であると判別した場合には、図１４に示すごとく、その指定されたフォルダを青色に変化させるように表示させる。そして、操作者により広範囲カーソルを移動させることにより、図１５に示す如く、ドラッグ操作が可能となるのである。
【０１４８】
このように、「前記左クリック領域は、前記表示部において、前記指定点を含む垂線より左側に位置するものであり、前記右クリック領域は、前記表示部において、前記指定点を含む垂線より右側に位置するものである」ので、実際のマウス操作と同じように操作することができるため、マウスの右左ボタンを操作するような操作性が再現できる。このため、初心者、若年齢者、高年齢者、身障者、病院患者等がこの操作に慣れた場合には、実際のマウス等を用いることに抵抗なく操作することができ得る情報処理装置を提供することができる。
【０１４９】
また、この広範囲カーソル４７は、左右の両縁端近傍に位置する場合には、所定の角度だけ回転するように表示される。尚、広範囲カーソル４７は、左右の両縁端近傍に位置した後に、左右の両縁端近傍でない位置に変位した場合には、上述した通常の形状で表示される。
【０１５０】
図１１乃至図１９に記載の広範囲カーソル４７において、移動領域（右クリック領域４７ｄと左クリック領域４７ｅ）の外周が表示画面３２の側縁端もしくは角にいっぱいまで移動した場合、右クリック領域４７ｄもしくは左クリック領域４７ｅのいずれかが完全に表示画面３２から外れてしまう問題がある。例えば、左の側縁端に移動領域を移動した場合は、左クリック領域４７ｄが完全に表示画面３２から外れてしまうため、左クリックの操作を行うことができない。
【０１５１】
そこで、上記問題を解決するために、広範囲カーソル４７は、その移動領域に相当する右クリック領域４７ｄ又は左クリック領域４７ｅのいずれかの外周が、表示画面３２の側縁端に接した場合には、図１６に示す如く、９０度回転する。
【０１５２】
広範囲カーソル４７は、通常では、図１６（Ａ）に示す如く、縦軸４７ａが縦方向に向いているが、その移動領域の外周が表示画面３２の側縁端に接した場合には、図１６（Ｂ）に示す如く、触接している触接位置を中心として回転を開始し、図１６（Ｃ）に示す如く、９０度回転する。実際には、図１７に示す如く、右クリック領域４７ｄ及び左クリック領域４７ｅともに左右クリック領域４７ｄ及び４７ｅを使用できる状態で、ポインタ４７ｃを表示画面側縁端まで移動させることができる。
【０１５３】
触接している触接位置を中心として回転をする理由は、広範囲カーソル４７の回転処理後、どちらが右クリック領域４７ｄで、どちらが左クリック領域４７ｅであるかを視覚的のみで判断が不可能だからである。また、広範囲カーソル４７の回転処理後に、例えば、左クリック領域４７ｅに触接した状態において、広範囲カーソル４７を表示画面３２の側縁端に接し、広範囲カーソル４７の回転処理を行ったとき、広範囲カーソル４７の回転処理後の触接位置を回転処理前から回転処理後の間で変えていないにも関わらず、偶然にも左クリック領域４７ｅから右クリック領域４７ｄに変わってしまっているという不都合が生じる。上記回転処理は、この問題を回避するためになされるものである。
【０１５４】
尚、本実施形態においては、広範囲カーソル４７が表示画面３２の側縁端に接した場合には、広範囲カーソル４７を９０度回転させたが、本発明はこれに限らず、右クリック領域及び左クリック領域が操作可能な角度であればよく、４５度から１３５度の範囲で回転することが好ましい。
【０１５５】
このように、「前記左クリック領域及び前記右クリック領域は、前記移動領域を前記垂線で二分するように位置するものであり、かつ、前記情報処理装置は、前記移動領域の外周が前記表示部における側縁に接した場合には、前記移動領域を回転させるとともに、前記左クリック領域及び前記右クリック領域を連動して回転させる」ので、指定点を表示部の側縁部に位置させた場合であっても、左右方向に左右クリック領域が表示されない状態を防止することができる。これにより、指定点がどの位置にあっても左右クリックの操作を実行することができるため、操作機能を低下させることなく、操作性に優れた情報提供装置を提供することができる。
【０１５６】
また、「前記移動領域の外周が、前記表示部における側縁に接し、前記表示部における上下縁に接しない場合には、前記移動領域を９０度回転させるとともに、前記左クリック領域及び前記右クリック領域を連動して９０度回転させる」ので、指定点を表示部の側縁部に位置させた場合であっても、左右方向に右クリック領域または左クリック領域が表示されずクリックできない状態を防止することができる。これにより、指定点がどの位置にあっても右クリックまたは左クリックの操作を実行することができるため、操作機能を低下させることなく、操作性に優れた情報処理装置を提供することができる。
【０１５７】
更には、「前記触接検知手段により触接していると検知された点を中心として、前記移動領域を回転させるとともに、前記左クリック領域及び前記右クリック領域を回転させる」ので、操作者が触接している操作点を変化させることがないため、スムーズに操作することができるだけでなく、誤操作を防止することができる。
【０１５８】
また、広範囲カーソル４７は、その移動領域に相当する左右クリック領域の外周が、表示画面３２の側縁端、及び、上下縁端に接した場合には、図１８に示す如く、４５度回転する。
【０１５９】
広範囲カーソル４７は、通常では、図１８（Ａ）に示す如く、縦軸４７ａが縦方向に向いているが、その移動領域の外周が表示画面３２の側縁端、及び、上下縁端に接した場合には、図１８（Ｂ）に示す如く、触接している触接位置を中心として回転を開始し、図１８（Ｃ）に示す如く、４５度回転する。実際には、図１９に示す如く、左右クリック領域４７ｄ及び４７ｅを使用できる状態で、ポインタ４６ｃを表示画面側縁端まで移動させることができる。
【０１６０】
尚、本実施形態においては、広範囲カーソル４７が表示画面３２の側縁端、及び、上下縁端に接した場合には、広範囲カーソル４７を９０度回転させたが、本発明はこれに限らず、右クリック領域及び左クリック領域が操作可能な角度であればよく、３０度から６０度の範囲で回転することが好ましい。
【０１６１】
このように、「前記移動領域の外周が、前記表示部における側縁と、前記表示部における上下縁と、に接した場合には、前記移動領域を４５度回転させるとともに、前記左クリック領域及び前記右クリック領域を連動して４５度回転させる」ので、指定点を表示部の側縁近傍に位置させ、更には、指定点を表示部の上下方向縁端近傍に移動させた場合であっても、４５度回転させることにより、左右クリック領域が表示されない状態を防止することができる。これにより、指定点がどの位置にあっても左右クリックの操作を実行することができるため、操作機能を低下させることなく、操作性に優れた情報提供装置を提供することができる。
【０１６２】
［実施形態３］
上述した本実施形態においては、情報処理装置１０を、本体装置２０と表示装置３０との別々に構成したが、本発明はこれに限らず、本体装置と表示装置とを一体に構成した情報処理装置としてもよい。
【０１６３】
また、上述した実施形態における情報処理装置１０は、パーソナルコンピュータを用いたが、ほかの情報処理装置であってもよく、例えば、ノート型のパーソナルコンピュータ、ＰＤＡ、携帯電話等に用いてもよい。
【０１６４】
このように、表示画面が面積の小さいものである場合には、後述する如き形態とすることが好まれる。
【０１６５】
図２０、図２３、図２４は、上述した如く、情報処理装置１０における表示画面３２に表示される画像を示す図である。また、図２１及び図２２は、その表示画面３２に表示される画像を示す拡大図である。
【０１６６】
図２０に示す如く、表示画面３２の中央には、円形状の広範囲カーソル４８が表示されている。また、表示画面３２の右側下方には、右クリックボタン４９が表示されている。この右クリックボタン４９を操作することにより、右クリック操作ができる。
【０１６７】
この広範囲カーソル４８は、図２１に示す如く、縦軸４８ａ及び横軸４８ｂの交差したポインタ４８ｃと、円形状の左クリック領域４８ｅと、から構成されている。また、この左クリック領域４８ｅを含める領域を、ポインタ４８ｃを移動させるための移動領域としている。
【０１６８】
また、この左のクリック領域４８ｅは、図２２（Ａ）に示す如く、その各々を、親指で操作することもできれば、図２２（Ｂ）に示す如く、人差し指で使用することもできる。もちろん、右利きの操作者だけではなく、左利きの操作者によっても設定を変更することなく操作することができる。
【０１６９】
この広範囲カーソル４８は、上述した広範囲カーソル４６とほぼ同じように動作する。
【０１７０】
このため、ドラッグ装置を行った場合には、上述した広範囲カーソル４８も、図２３に示す如く、指定されたフォルダの色が変化するように表示される。例えば、広範囲カーソル４６の領域境界線、縦軸、横軸のみ黒色で表示されていたが、上述した図７（Ｃ）の如く、ドラッグ操作であると判別した場合には、図２３に示すごとく、その指定されたフォルダを青色に変化させるように表示させる。そして、操作者により広範囲カーソルを移動させることにより、図２４に示す如く、ドラッグ操作が可能となるのである。
【０１７１】
このように、上述した情報処理装置１０では、「左クリック領域及び右クリック領域を備え、前記移動領域は、前記表示部において、左クリック領域及び右クリック領域の一を含み、かつ、前記左クリック領域及び前記右クリック領域の他を含まない」ので、指示点を移動させるだけでなく、マウスの右左ボタンのいずれかを操作するような操作性が再現できる。このため、初心者、若年齢者、高年齢者、身障者、病院患者等がこの操作に慣れた場合には、実際のマウス等を用いることに抵抗なく操作することができ得る情報処理装置を提供することができる。
【０１７２】
また、最低限左クリック領域及び右クリック領域の一を容易に操作することができ、更には、左クリック領域及び右クリック領域の他を別に備えたため、移動領域を小型化でき、小さい画面であっても容易に操作することができる。
【０１７３】
本発明は、上述した如く、ＰＤＡ、携帯電話、ノート型コンピュータ等、様々な情報処理装置に用いることができ、デスクトップパソコン等に接続される大型の表示装置に対して用いることが好ましいが、ＰＤＡ、携帯電話等画面が小さい装置に用いる際には、検知エリアを広く設ける必要が無いため最適である。
【０１７４】
尚、本実施形態における情報処理装置１０では、マウス、キーボード等の装置を用いることなく、タッチセンサ３６を用いることのみで操作を行ったが、本発明はこれに限らず、タッチセンサ３６を用いることのみならず、マウス、キーボード等の入力装置を用いることにより操作を行う情報処理装置１０であってもよい。尚、ここでいう入力装置は、請求項中に記載された、「入力手段」の一部を構成するものに相当するものである。
【０１７５】
この場合には、「マウス、若しくは、キーボードを含む入力手段と、前記指定点を移動させるための設定を行う入力設定手段と、当該入力設定手段による指定点を移動させるための設定に基づいて、前記触接検知手段により指定点を移動させることと、前記入力手段により指定点を移動させることと、を切り替える入力切替手段と、を備えた」構成としてもよく、使用方法が異なる複数の操作者が同じ情報処理装置を使用する場合であっても、設定の切り替えを行うことにより、操作者に適した情報処理装置を提供することができる。更には、ある操作者が情報処理装置を使用する場合であっても、その情報処理装置で使用するツールが異なる場合には、そのツールに応じて設定の切り替えを行うことができ、操作者に適した情報処理装置を提供することができるのである。
【０１７６】
また、上述した実施形態においては、広範囲カーソルの移動領域の形状は、円形状であったが、本発明はこれに限らず、その移動範囲にポインタを含む広範囲カーソルであればよく、例えば、楕円形状、矩形状であってもよく、更には、対象図形でなくともよい。
【０１７７】
また、上述した実施形態においては、広範囲カーソルの移動領域が、右クリック領域及び左クリック領域の少なくとも一つと等しいものであったが、本発明はこれに限らず、移動領域内に、右クリック領域及び左クリック領域の少なくとも一つが含まれていればよい。
【０１７８】
更にまた、上述した実施形態においては、移動領域を左クリック領域及び／又は右クリック領域から構成したが、本発明はこれにかぎらず、移動領域が左クリック領域及び／又は右クリック領域を含むものであればよい、即ち、移動領域を、左クリック領域及び／又は右クリック領域と、左クリック領域及び右クリック領域に属さない単なる移動領域と、から構成してもよい。
【０１７９】
更に詳しくは、移動領域であり、かつ、右クリック領域又は左クリック領域のいずれにも属さない領域（以後、無属性領域）を使用者がタッチセンサを有するタッチパネルを指などで触接した場合において、広範囲カーソルは、右クリック状態又は左クリック状態のいずれにも該当しない処理を行う。使用する場面としては、単に広範囲カーソルの位置を変えるために動かすだけの目的の場合において、使用者は、前記無属性領域を指などでタッチセンサを有するタッチパネルを触接し、触接している使用者の指などを、タッチセンサを有するタッチパネルから触接を解除せず動かすことにより、使用者の指などの動きに連動して広範囲カーソル（指定点及び移動領域）の座標位置を変位させるための処理を経時的に逐次行い、これに併せて表示画面に広範囲カーソルが動く過程を表示することが、これに該当する。
【０１８０】
これにより、初心者、若年齢者、高年齢者、身障者、病院患者等に、直感的にカーソルを触接させ、この際には、左クリック領域及び右クリック領域を除く単なる移動領域を触接することにより、広範囲カーソルを誤動作なく操作することができ、より一層好適である。
【０１８１】
【発明の効果】
本発明によれば、「前記表示部において、前記指定点を含み、当該指定点を移動させるための移動領域を備え、前記表示制御手段により、前記表示部において、前記移動領域の全域が画定される移動領域画像が表示され、かつ、前記触接検知手段により触接の検知が行われた場合には、当該検知の結果に応じて前記指定点の移動が行われるとともに、当該指定点の移動に連動して前記移動領域の移動が行われ、かつ、前記表示制御手段により、前記指定点及び前記移動領域の移動に連動して、前記指定点画像及び前記移動領域画像が移動してくるように前記指定点画像及び前記移動領域画像が表示される」ので、指定点を示すための指定画像を表示させるだけの従来技術とは異なり、指定点を移動させるための移動領域の全域を移動領域画像として表示することにより、その移動領域の全域が明確になり、視覚的に操作性を向上させ、誤操作をも防止する情報処理装置を提供することができる。
【０１８２】
また、指定点と異なる位置に移動領域を備えた情報処理装置とは異なり、マウス、若しくは、キーボード等を含む入力手段を用いた場合とほぼ同じような操作方法であるため、操作者の操作技術が向上した場合であっても、容易に入力手段を用いることができる。特に、初心者、若年齢者、高年齢者、身障者、病院患者等、操作者を選ぶことなく、操作性に優れた情報処理装置を提供することができる。
【図面の簡単な説明】
【図１】本発明による情報処理装置の概観図である。
【図２】本発明による情報処理装置の主制御回路のブロック図である。
【図３】本発明による情報処理装置の表示装置において表示される画像を示す概略図である。
【図４】本発明による情報処理装置の表示装置において表示される画像を示す概略図である。
【図５】本発明による情報処理装置の表示装置において表示される画像を示す概略図である。
【図６】本発明による情報処理装置の表示装置において表示される画像を示す概略図である。
【図７】本発明による情報処理装置のタイミングチャートを示す説明図である。
【図８】本発明による情報処理装置の表示装置において表示される画像を示す概略図である。
【図９】本発明による情報処理装置の表示装置において表示される画像を示す概略図である。
【図１０】本発明による情報処理装置の表示装置において表示される画像を示す概略図である。
【図１１】本発明による情報処理装置の表示装置において表示される画像を示す概略図である。
【図１２】本発明による情報処理装置の表示装置において表示される画像を示す概略図である。
【図１３】本発明による情報処理装置の表示装置において表示される画像を示す概略図である。
【図１４】本発明による情報処理装置の表示装置において表示される画像を示す概略図である。
【図１５】本発明による情報処理装置の表示装置において表示される画像を示す概略図である。
【図１６】本発明による情報処理装置の表示装置において表示される画像を示す概略図である。
【図１７】本発明による情報処理装置の表示装置において表示される画像を示す概略図である。
【図１８】本発明による情報処理装置の表示装置において表示される画像を示す概略図である。
【図１９】本発明による情報処理装置の表示装置において表示される画像を示す概略図である。
【図２０】本発明による情報処理装置の表示装置において表示される画像を示す概略図である。
【図２１】本発明による情報処理装置の表示装置において表示される画像を示す概略図である。
【図２２】本発明による情報処理装置の表示装置において表示される画像を示す概略図である。
【図２３】本発明による情報処理装置の表示装置において表示される画像を示す概略図である。
【図２４】本発明による情報処理装置の表示装置において表示される画像を示す概略図である。
【符号の説明】
１０　情報処理装置
２０　本体装置
３０　表示装置
３２　表示画面
３６　タッチセンサ
４６、４７、４８　広範囲カーソル
６０　主制御回路
６６　ＣＰＵ
６８　記憶部
【図１】
2004038503.tif 000003
【図２】
2004038503.tif 000004
【図３】
2004038503.tif 000005
【図４】
2004038503.tif 000006
【図５】
2004038503.tif 000007
【図６】
2004038503.tif 000008
【図７】
2004038503.tif 000009
【図８】
2004038503.tif 000010
【図９】
2004038503.tif 000011
【図１０】
2004038503.tif 000012
【図１１】
2004038503.tif 000013
【図１２】
2004038503.tif 000014
【図１３】
2004038503.tif 000015
【図１４】
2004038503.tif 000016
【図１５】
2004038503.tif 000017
【図１６】
2004038503.tif 000018
【図１７】
2004038503.tif 000019
【図１８】
2004038503.tif 000020
【図１９】
2004038503.tif 000021
【図２０】
2004038503.tif 000022
【図２１】
2004038503.tif 000023
【図２２】
2004038503.tif 000024
【図２３】
2004038503.tif 000025
【図２４】
2004038503.tif 000026